(57)【特許請求の範囲】
【請求項１】
テレビジョン用の筐体と、
前記筐体と一体的に形成され、ボス部を構成するとともに空洞部を有する箱状部と、
前記箱状部の表面から突出するように前記箱状部と一体的に設けられ、前記箱状部とともに前記ボス部を構成する中空の筒状部と、
前記箱状部の表面から前記筒状部の側面に沿って一体的に形成される補強リブとを備え、
前記補強リブは、平面的に見てＴ字形状を有する補強リブを含み、
前記箱状部の前記空洞部の一方側は、開口しており、前記平面的に見てＴ字形状の補強リブの長方形形状を有する部分は、前記空洞部の開口している部分の上方の前記箱状部の表面に形成されている、テレビジョン装置。
【請求項２】
前記箱状部は、
前記筐体の表面に対して垂直方向に延びる平面的に見てＵ字状の立壁部と、
前記Ｕ字状の立壁部によって囲まれる空間を覆うように形成された蓋部とを含み、
前記Ｕ字状の立壁部と前記蓋部とにより前記空洞部が構成されており、
前記補強リブは、前記蓋部の上面から前記筒状部の側面に沿って延びるように形成されている、請求項１に記載のテレビジョン装置。
【請求項３】
前記補強リブは、前記筒状部を挟むようにして設けられた第１リブ部と第２リブ部とを含む、請求項１または２に記載のテレビジョン装置。
【請求項４】
前記第２リブ部は、平面的に見てＴ字形状を有する、請求項３に記載のテレビジョン装置。
【請求項５】
前記補強リブは、ガイド機能を有する、請求項１〜４のいずれか１項に記載のテレビジョン装置。
【発明の詳細な説明】
【技術分野】
【０００１】
この発明は、テレビジョン装置に関し、特に、テレビジョン用の筐体に設けられたボス部を備えるテレビジョン装置に関する。
【背景技術】
【０００２】
従来、テレビジョン用の筐体などにおいては、ボス部が設けられている。また、ボス部などを樹脂成形により形成する際には、種々の金型が使用されていることが知られている（たとえば、特許文献１〜４参照）。
【０００３】
上記特許文献１には、ボス部を形成するための金型が開示されている。この特許文献１に記載のボス部を形成するための金型では、金型本体に設けられたボスピンにより、ボス部の中空の筒状部を形成している。また、ボス部の成形時に、金型本体に設けられた押圧部材およびボスピンにより、成形材に圧力をかけることによって、ボス部の底部（根元部分）のヒケの発生を抑制している。
【０００４】
また、上記特許文献２には、ボス部の根元部分に発生するヒケを抑制するための構造が開示されている。この特許文献２に記載のヒケを抑制するための構造では、ボス部の内周面に、別途、円筒状のインサート部材とナットサート部材とを埋め込むことにより、ボス部の根元部分に発生するヒケを抑制している。
【０００５】
また、上記特許文献３には、金型本体にガスを噴射させるノズルを備えた金型装置が開示されている。この特許文献３に記載の金型装置では、成形中に、リブの根元部分へガスを噴射させることにより、リブの根元部分に空洞部を形成することによって、リブの根元部分のヒケの発生を抑制している。
【０００６】
また、上記特許文献４には、ボス部を形成するための傾斜ピンを備えた金型が開示されている。この特許文献４に記載のボス部を形成するための金型では、傾斜ピンを用いてボス部の根元部分に空洞部を設けている。
【０００７】
【特許文献１】特開２００７−０２１８２８号公報
【特許文献２】特開２００４−０７４４９５号公報
【特許文献３】特開平１０−２７２６４５号公報
【特許文献４】実開昭５９−１９０５１９号公報
【発明の開示】
【発明が解決しようとする課題】
【０００８】
しかしながら、上記特許文献１に記載の金型では、金型本体に設けられた押圧部材およびボスピンによって、筒状部の底部（根元部分）のヒケの発生を抑制することが可能である一方、ボスピンにより、筒状部の中空部分を形成しているため、ボス部の肉厚が薄くなる。このため、ボス部の機械的強度が低下するという問題点がある。
【０００９】
また、上記特許文献２に記載のヒケを抑制するための構造では、ボス部の根元部分に発生するヒケを抑制するために、ボス部の内周面に、別途、円筒状のインサート部材とナットサート部材とを埋め込む必要があるので、その分、ボス部の部品点数が増加するという問題点がある。
【００１０】
また、上記特許文献３に記載の金型装置では、リブの根元部分にガスを噴射させることにより、リブの根元部分に空洞部を形成することによって、リブの根元部分のヒケの発生を抑制している。この特許文献３に開示されたリブを形成するための金型装置を、たとえば、ボス部を形成する際に用いると、ボス部の根元部分に空洞部が形成されるので、ボス部の根元部分の肉厚が薄くなる。このため、ボス部の機械的強度が低下するという問題点が発生すると考えられる。
【００１１】
また、上記特許文献４に記載の金型では、傾斜ピンを用いてボス部の根元部分に空洞部を設けることにより、根元部分のヒケの発生を抑制することができる一方、空洞部を設けているために、ボス部の根元部分の肉厚が薄くなる。このため、ボス部の機械的強度が低下するという問題点がある。
【００１２】
この発明は、上記のような課題を解決するためになされたものであり、この発明の１つの目的は、ボス部の根元部分にヒケが発生するのを抑制しながら、ボス部の機械的強度の低下を抑制するとともに、ボス部の部品点数の増加を抑制することが可能なテレビジョン装置を提供することである。
【課題を解決するための手段および発明の効果】
【００１３】
この発明の一の局面によるテレビジョン装置は、テレビジョン用の筐体と、筐体と一体的に形成され、ボス部を構成するとともに空洞部を有する箱状部と、箱状部の表面から突出するように箱状部と一体的に設けられ、箱状部とともにボス部を構成する中空の筒状部と、箱状部の表面から筒状部の側面に沿って一体的に形成される補強リブとを備え、補強リブは、平面的に見てＴ字形状を有する補強リブを含み、箱状部の空洞部の一方側は、開口しており、平面的に見てＴ字形状の補強リブの長方形形状を有する部分は、空洞部の開口している部分の上方の箱状部の表面に形成されている。
【００１４】
この一の局面によるテレビジョン装置では、上記のように、箱状部の表面から筒状部の側面に沿って一体的に補強リブを形成することによって、補強リブを介して箱状部と筒状部とを互いに強固に固定することができるので、ボス部を構成する箱状部および筒状部の機械的強度の低下を抑制することができる。この結果、ボス部全体の機械的強度の低下を抑制することができる。また、箱状部に空洞部を設けることによって、筐体に隣接して設けられるボス部の根元部分を構成する箱状部の肉厚を薄くすることができるので、箱状部のヒケの発生を抑制することができる。これにより、箱状部のヒケに起因する筐体の外観面のヒケの発生を抑制することができる。また、箱状部に空洞部を設けることによって、筐体に隣接して設けられるボス部の根元部分を構成する箱状部の肉厚を薄くすることができるので、箱状部のヒケの発生を抑制することができる。これにより、ヒケを抑制するためのインサート部材およびナットサート部材をボス部に埋め込む必要がない。このため、ボス部の部品点数が増加するのを抑制することができる。
【００１５】
この一の局面によるテレビジョン装置において、好ましくは、箱状部は、筐体の表面に対して垂直方向に延びる平面的に見てＵ字状の立壁部と、Ｕ字状の立壁部によって囲まれる空間を覆うように形成された蓋部とを含み、Ｕ字状の立壁部と蓋部とにより空洞部が構成されており、補強リブは、蓋部の上面から筒状部の側面に沿って延びるように形成される。このように構成すれば、補強リブを介して箱状部と筒状部とを互いに強固に固定することができるので、筒状部のみならず箱状部の機械的強度の低下を抑制することができる。
【００１６】
この一の局面によるテレビジョン装置において、好ましくは、補強リブは、筒状部を挟むようにして設けられた第１リブ部と第２リブ部とを含む。このように構成すれば、筒状部を両側から固定することができるので、筒状部にねじを取り付けた状態で、ねじと直交する方向の力が加わった場合にも、筒状部が破損するのをより有効に抑制することができる。
【００１７】
この場合、好ましくは、第２リブ部は、平面的に見てＴ字形状を有する。このように構成すれば、第２リブ部を直線状に形成する場合に比べて、第２リブ部と箱状部との接合面積を増加させることができるので、筒状部と箱状部とをより強固に固定することができる。
【００１８】
この一の局面によるテレビジョン装置において、好ましくは、補強リブは、ガイド機能を有する。このように構成すれば、液晶モジュールなどの部品を取り付ける際に、補強リブがガイドとして機能して位置決めが行われるので、部品が取り付けやすくなる。このため、取付作業性を向上させることができる。
【発明を実施するための最良の形態】
【００１９】
以下、本発明を具体化した実施形態を図面に基づいて説明する。
【００２０】
図１は、本発明の一実施形態による液晶テレビジョン装置の全体構成を示す斜視図である。図２〜図１３は、本発明の一実施形態による液晶テレビジョン装置の詳細を示す図である。まず、図１〜図１３を参照して、本発明の一実施形態による液晶テレビジョン装置１の構造を説明する。なお、本実施形態では、テレビジョン装置の一例である液晶テレビジョン装置１に本発明を適用した場合について説明する。
【００２１】
本実施形態による液晶テレビジョン装置１は、図１および図２に示すように、液晶テレビジョン装置１の外枠を構成するフロントキャビネット２とリアキャビネット３とを備えている。また、フロントキャビネット２およびリアキャビネット３には、映像を表示するための表示部４を含む液晶モジュール４０が収納されているとともに、表示部４は、フロントキャビネット２の枠部２ａに沿って配置されている。なお、フロントキャビネット２は、本発明の「テレビジョン用の筐体」の一例である。
【００２２】
また、図３および図４に示すように、フロントキャビネット２の裏面の枠の部分には、フロントキャビネット２と一体的に形成された複数のボス部１０が設けられている。ボス部１０は、リアキャビネット３の方向（図４のＹ方向）に向かって延びるように配置されている。なお、フロントキャビネット２とボス部１０とを一体的に形成する形成方法は、後述する、傾斜ピン５１が備えられた金型５０（図１４〜図１８参照）を用いて形成する。
【００２３】
ここで、本実施形態では、図５に示すように、ボス部１０は、箱状部１１と、筒状部１２とを備えている。箱状部１１は、図５、図７、図８、図９および図１０に示すように、空洞部１１ａを有するように形成されている。すなわち、箱状部１１は、フロントキャビネット２の表面に対して垂直方向に延びる、平面的に見てＵ字状の立壁部１１ｂ（図１２参照）と、このＵ字状の立壁部１１ｂの上方を覆うように設けられた矩形状の蓋部１１ｃとにより構成されている。また、Ｕ字状の立壁部１１ｂと蓋部１１ｃとにより囲まれた領域に、一方側方のみが開口する空洞部１１ａが形成されている。
【００２４】
また、図８に示すように、筒状部１２は、箱状部１１の蓋部１１ｃの表面から図４のＹ方向に突出して延びるように、箱状部１１と一体的に形成されている。筒状部１２はネジ形成用孔部１２ａが設けられた中空の円筒形状を有する。このネジ形成用孔部１２ａは、図１１に示すように、ねじ部材３０のねじ部３０ａがねじ込まれることによって、ねじ部１２ｂが形成可能なように構成されている。これにより、ねじ部材３０による締結が可能である。
【００２５】
ここで、本実施形態では、図５および図６に示すように、ボス部１０の箱状部１１の表面から筒状部１２の側面に沿って延びる補強リブ２０が箱状部１１および筒状部１２と一体的に形成されている。この補強リブ２０は、第１補強リブ２０ａと第２補強リブ２０ｂとを含んでいる。なお、第１補強リブ２０ａおよび第２補強リブ２０ｂは、それぞれ、本発明の「第１リブ部」および「第２リブ部」の一例である。第１補強リブ２０ａおよび第２補強リブ２０ｂは、筒状部１２を挟むようにして１８０度間隔で配置されている。また、第１補強リブ２０ａは、平面的に見て、直線状に配置されている。また、第２補強リブ２０ｂは、平面的に見て、Ｔ字形状を有し、かつ、図７に示すように、空洞部１１ａの開口側から見ると、縦長の長方形形状を有している。また、第２補強リブ２０ｂの縦長の長方形形状を有する部分は、箱状部１１に設けられた空洞部１１ａの開口している端面の上方に設けられている。
【００２６】
また、本実施形態では、図１３に示すように、第１補強リブ２０ａおよび第２補強リブ２０ｂは、ガイド機能を有している。すなわち、液晶モジュール４０を取り付ける際に、第１補強リブ２０ａおよび第２補強リブ２０ｂがガイドとして機能して位置決めが行われる。また、第１補強リブ２０ａおよび第２補強リブ２０ｂは、液晶モジュール４０を固定する機能も有している。
【００２７】
図１４〜図１８は、本発明の一実施形態によるボス部を備えたフロントキャビネットの成形方法を説明するための図である。次に、図１４〜図１８を参照して、本発明の一実施形態によるフロントキャビネット２の成形方法について説明する。なお、この成形方法で用いる金型５０は、前部金型５０ａと、後部金型５０ｂと、挿入部５１ａを有する傾斜ピン５１とから構成されている。
【００２８】
まず、図１４に示すように、成形前は、前部金型５０ａと後部金型５０ｂとが閉じた状態である。次に、成形材を金型５０内に流して、冷却することによって、フロントキャビネット２が金型５０内に形成される。
【００２９】
この後、図１５に示すように、前部金型５０ａを後部金型５０ｂに対して矢印Ａ方向に離間させる。次に、図１６および図１７に示すように、傾斜ピン５１によりフロントキャビネット２が前部金型５０ａの方向（矢印Ｂ方向）へ押し出される。傾斜ピン５１がＢ方向へ所定量移動すると、傾斜ピン５１がフロントキャビネット２を押しながら、傾斜ピン５１の挿入部５１ａがフロントキャビネット２から外れる方向（矢印Ｃ方向）に移動する。そして、図１８に示すように、傾斜ピン５１は、フロントキャビネット２から完全に外れる。傾斜ピン５１の挿入部５１ａが挿入されていた部分が空洞部１１ａとなる。
【００３０】
本実施形態では、上記のように、箱状部１１の表面から筒状部１２の側面に沿って一体的に補強リブ２０を形成することによって、補強リブ２０を介して箱状部１１と筒状部１２とを互いに強固に固定することができるので、ボス部１０を構成する箱状部１１および筒状部１２の機械的強度の低下を抑制することができる。この結果、ボス部１０全体の機械的強度の低下を抑制することができる。また、箱状部１１に空洞部１１ａを設けることによって、フロントキャビネット２に隣接して設けられるボス部１０の根元部分を構成する箱状部１１のヒケの発生を抑制することができる。これにより、箱状部１１のヒケに起因するフロントキャビネット２の外観面のヒケの発生を抑制することができる。また、箱状部１１に空洞部１１ａを設けることによって、フロントキャビネット２に隣接して設けられるボス部１０の根元部分を構成する箱状部１１の厚みを小さくすることができるので、箱状部１１のヒケの発生を抑制することができる。これにより、ヒケを抑制するためのインサート部材およびナットサート部材などをボス部１０に埋め込む必要がない。このため、ボス部１０の部品点数が増加するのを抑制することができる。
【００３１】
また、本実施形態では、上記のように、箱状部１１は、フロントキャビネット２の表面に対して垂直方向に延びる平面的に見てＵ字状の立壁部１１ｂと、Ｕ字状の立壁部１１ｂによって囲まれる空間を覆うように形成された蓋部１１ｃとにより空洞部１１ａを構成するとともに、補強リブ２０を、箱状部１１の蓋部１１ｃの上面から筒状部１２の側面に沿って延びるように形成することによって、補強リブ２０を介して箱状部１１と筒状部１２とを互いに強固に固定することができるので、筒状部１２のみならず箱状部１１の機械的強度の低下を抑制することができる。
【００３２】
また、本実施形態では、上記のように、第１補強リブ２０ａおよび第２補強リブ２０ｂを、筒状部１２を挟むように設けることによって、筒状部１２を両側から固定することができるので、筒状部１２にねじを取り付けた状態で、ねじと直交する方向の力が加わった場合にも、筒状部１２が破損するのをより有効に抑制することができる。
【００３３】
また、本実施形態では、上記のように、第２補強リブ２０ｂを、平面的に見てＴ字形状を有するように構成することによって、第２補強リブ２０ｂを直線状に形成する場合に比べて、第２補強リブ２０ｂと箱状部１１との接合面積を増加させることができるので、筒状部１２と箱状部１１とをより強固に固定することができる。
【００３４】
また、本実施形態では、上記のように、第１補強リブ２０ａおよび第２補強リブ２０ｂは、ガイド機能を有するように構成することによって、液晶モジュール４０などの部品を取り付ける際に、第１補強リブ２０ａおよび第２補強リブ２０ｂがガイドとして機能して位置決めが行われるので、部品が取り付けやすくなる。このため、取付作業性を向上させることができる。
【００３５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３６】
たとえば、上記実施形態では、ボス部を含む筐体を備えたテレビジョン装置の一例として、液晶テレビジョン装置を示したが、本発明はこれに限らず、ボス部を含む筐体を備えたテレビジョン装置であれば、液晶テレビジョン装置以外のテレビジョン装置にも適用可能である。
【００３７】
また、上記実施形態では、フロントキャビネット２にボス部１０を４箇所設けた例を示したが、本発明はこれに限らず、必要に応じて、ボス部１０の個数を増減させて設けてもよい。
【００３８】
また、上記実施形態では、第２補強リブ２０ｂの下部に空洞部１１ａを設けている例を示したが、本発明はこれに限らず、第１補強リブ２０ａの下部に空洞部１１ａを設けてもよいし、箱状部１１の他の面に設けてもよい。
【００３９】
また、上記実施形態では、第１補強リブ２０ａを平面的に見て、直線状に形成した例を示したが、本発明はこれに限らず、第１補強リブ２０ａも、第２補強リブ２０ｂと同様に、平面的に見てＴ字形状を有するように形成してもよい。
【００４０】
また、上記実施形態では、第１補強リブ２０ａおよび第２補強リブ２０ｂの２つの補強リブを設ける例を示したが、本発明はこれに限らず、第１補強リブ２０ａおよび第２補強リブ２０ｂのいずれか一方のみを設けるようにしてもよい。
【図面の簡単な説明】
【００４１】
【図１】本発明の一実施形態による液晶テレビジョン装置の全体構成を示す斜視図である。
【図２】本発明の一実施形態によるテレビジョン用の筐体を示す斜視図である。
【図３】本発明の一実施形態によるテレビジョン用の筐体の裏面を示す平面図である。
【図４】本発明の一実施形態によるテレビジョン用の筐体の裏面を示す斜視図である。
【図５】本発明の一実施形態によるボス部の全体構成を示す斜視図である。
【図６】図５に示す斜視図を上方向から見た場合を示す平面図である。
【図７】本発明の一実施形態によるテレビジョン用の筐体の裏面を示す図４の１００−１００線に沿った正面図である。
【図８】本発明の一実施形態によるボス部の上面を示す図６の１１０−１１０線に沿った断面図である。
【図９】本発明の一実施形態によるテレビジョン用の筐体の裏面を示す図４の１２０−１２０線に沿った側面図である。
【図１０】本発明の一実施形態による本発明の一実施形態によるボス部の上面を示す図６の１３０−１３０線に沿った断面図である。
【図１１】本発明の一実施形態によるボス部の筒状部へのねじの取り付けを示す断面図である。
【図１２】本発明の一実施形態によるボス部の側面を示す図９の１４０−１４０線に沿った断面図である。
【図１３】本発明の一実施形態によるフロントキャビネットの裏面に液晶モジュールを取り付けた状態を示す図である。
【図１４】本発明の一実施形態によるフロントキャビネットの成形方法を説明するための図である。
【図１５】本発明の一実施形態によるフロントキャビネットの成形方法を説明するための図である。
【図１６】本発明の一実施形態によるフロントキャビネットの成形方法を説明するための図である。
【図１７】本発明の一実施形態によるフロントキャビネットの成形方法を説明するための図である。
【図１８】本発明の一実施形態によるフロントキャビネットの成形方法を説明するための図である。
【符号の説明】
【００４２】
１      液晶テレビジョン装置
２      フロントキャビネット（テレビジョン用の筐体）
１１    箱状部
１１ａ  空洞部
１１ｂ  Ｕ字状の立壁部
１１ｃ  蓋部
１２    筒状部
２０    補強リブ
２０ａ  第１補強リブ（第１リブ部）
２０ｂ  第２補強リブ（第２リブ部）
【図１】
0004595970.tif 000002
【図２】
0004595970.tif 000003
【図３】
0004595970.tif 000004
【図４】
0004595970.tif 000005
【図５】
0004595970.tif 000006
【図６】
0004595970.tif 000007
【図７】
0004595970.tif 000008
【図８】
0004595970.tif 000009
【図９】
0004595970.tif 000010
【図１０】
0004595970.tif 000011
【図１１】
0004595970.tif 000012
【図１２】
0004595970.tif 000013
【図１３】
0004595970.tif 000014
【図１４】
0004595970.tif 000015
【図１５】
0004595970.tif 000016
【図１６】
0004595970.tif 000017
【図１７】
0004595970.tif 000018
【図１８】
0004595970.tif 000019